(57)【要約】【課題】蛍光灯光源からＬＥＤ光源への交換を、現地作業で行なうことのできる４０７標識のＬＥＤ光源への交換方法と４０７標識を提供すること。【解決手段】４０７標識１の表示板２内には、蛍光灯光源を支持していた縦ステー２２が配置されている。一方、ＬＥＤ基板取り付け板１１には、予め、縦ステー２２に取り付けるための挿通孔１１２を形成しておく。ＬＥＤ基板１０には複数の縦列を配設し、個々の縦列には、多数のＬＥＤ光源１０１を直列接続してその端部に定電流素子を配置する。ＬＥＤ基板１０を貼り付けたＬＥＤ基板取り付け板１１を現地まで運んだ後、蛍光灯光源を除去した後、縦ステー２２にＬＥＤ基板取り付け板１１の取り付け孔２２１をあけて、ＬＥＤ基板取り付け板１１を縦ステー２２の表裏面に一対取り付けることにより蛍光灯光源からＬＥＤ光源１０１に交換する。【選択図】図１
2011210670.tif 000002
【特許請求の範囲】
【請求項１】
内部に複数のステーを枠状に配設して五角形状に形成された筐体状の表示板と、前記表示板内に配設されて多数のＬＥＤ光源を配設したＬＥＤ基板と、前記ＬＥＤ基板を取り付けたＬＥＤ基板取り付け板とを備えた４０７標識のＬＥＤ光源への交換方法であって、
前記ＬＥＤ基板を取り付けた前記ＬＥＤ基板取り付け板は、前記ステーを使用して前記ステーの表裏面に、一対取り付けられるとともに、一対の前記ＬＥＤ基板取り付け板は、前記ステーを含んで挟持される金具で一体的に締結されることを特徴とする４０７標識のＬＥＤ光源への交換方法。
【請求項２】
内部に複数のステーを枠状に配設して五角形状に形成された筐体状の表示板と、前記表示板内に配設されて多数のＬＥＤを配設したＬＥＤ基板と、前記ＬＥＤ基板を取り付けたＬＥＤ基板取り付け板とを備えた４０７標識であって、
前記ＬＥＤ基板を取り付けた前記ＬＥＤ基板取り付け板は、前記ステーの表裏面に、一対取り付けられるとともに、一対の前記ＬＥＤ基板取り付け板は、前記ステーを含んで挟持される金具で締結されていることを特徴とする４０７標識。
【請求項３】
前記ＬＥＤ基板には、多数に直列接続されたＬＥＤ光源が複数列に配設され、各列には定電流素子が配設されて、個々の前記ＬＥＤ光源は、個々の前記ＬＥＤ光源に流れる順電流が一定となるように制御されていることを特徴とする請求項２記載の４０７標識。
【発明の詳細な説明】
【技術分野】
【０００１】
本発明は、表示面にＬＥＤ光源を内照照射するための大型の４０７標識のＬＥＤ光源への交換方法と４０７標識に関する。
【背景技術】
【０００２】
横断歩道の上方に設置してある大型内照標識、例えば、五角形に形成された４０７標識は、光源として蛍光灯が使用されていた。しかし、蛍光灯は、消費電力が嵩張るとともに光源寿命が短いことから、蛍光灯光源をＬＥＤ光源に変更して使用するようになってきた。従来の４０７標識３１は、図８に示すように、表示板３２内に縦ステー２２と上ステー２３、下ステー２４とが矩形枠状に配置され、蛍光灯光源３４が各縦ステー２２と上ステー２３、下ステー２４から延設された４個の支持金具３３によって支持されていた。しかし、蛍光灯光源３４をＬＥＤ光源に変更する場合、円形の蛍光灯光源３４を４箇所で支持する支持金具３３では、ＬＥＤ光源をユニット化した矩形板状のＬＥＤ基板を把持できないため、表示板３２本体を工場に持ち帰って、新たにＬＥＤ基板を組み込む必要性が生じていた。表示板３２本体を工場に持ち帰ってＬＥＤ基板を交換する作業は、時間とコストを伴うこととなっていた。また、従来の円形の蛍光灯光源３４では、標識の表示部位に対して、全体的に均等な照明ができずに照明むらが発生していた。
【０００３】
一方、特許文献１では、内照式の道路標識において、メンテナンスの回数の多いランプの交換作業を容易に交換できる技術が開示されている。
【先行技術文献】
【特許文献】
【０００４】
【特許文献１】特開２００２−６９９４６公報
【発明の概要】
【発明が解決しようとする課題】
【０００５】
特許文献１の技術は、実施形態でも示されているように、円板状の標識であり表示部内に配置された蛍光灯をハロゲンランプやメタルハライド放電等などのランプに変更して構成したものである。前述のランプを標識柱の上部から水平方向に延設した支柱内に配置している。支柱内には、導光部が設けられランプから発射した光を拡散して表示部に導いている。表示部には、一次反射板と二次反射板とが設けられて、導光部を通ってきた光を一次反射板と二次反射板を介して表示内容を表示させることとなっていた。しかし、４０７標識においてＬＥＤ基板を現地で蛍光灯光源から交換する場合、標識自体の構成が異なることから特許文献１と同様に行うことはできなかった。
【課題を解決するための手段】
【０００６】
本発明は、上述の課題を解決するものであり、４０７標識において、蛍光灯光源からＬＥＤ基板に交換する作業を現地でできるような容易な構成にするとともに、均整度を向上できることを目的とする。
【０００７】
本発明に係る４０７標識のＬＥＤ光源への交換方法は、以下のように構成するものである。すなわち、
請求項１記載の発明は、内部に複数のステーを枠状に配設して五角形状に形成された筐体状の表示板と、前記表示板内に配設されて多数のＬＥＤ光源を配設したＬＥＤ基板と、前記ＬＥＤ基板を取り付けたＬＥＤ基板取り付け板とを備えた４０７標識のＬＥＤ光源への交換方法であって、前記ＬＥＤ基板を取り付けた前記ＬＥＤ基板取り付け板は、前記ステーを使用して前記ステーの表裏面に、一対取り付けられるとともに、一対の前記ＬＥＤ基板取り付け板は、前記ステーを含んで挟持される金具で一体的に締結されることを特徴とするものである。
【０００８】
また、本発明の４０７標識は、以下のように構成するものである。すなわち、
請求項２記載の発明は、内部に複数のステーを枠状に配設して五角形状に形成された筐体状の表示板と、前記表示板内に配設されて多数のＬＥＤ光源を配設したＬＥＤ基板と、前記ＬＥＤ基板を取り付けたＬＥＤ基板取り付け板とを備えた４０７標識であって、前記ＬＥＤ基板を取り付けた前記ＬＥＤ基板取り付け板は、前記ステーの表裏面に、一対取り付けられるとともに、一対の前記ＬＥＤ基板取り付け板は、前記縦ステーを含んで挟持される金具で締結されていることを特徴とするものである。
【０００９】
請求項３記載の発明は、前記ＬＥＤ基板には、多数に直列接続されたＬＥＤ光源が複数列に配設され、各列には定電流素子が配設されて、個々の前記ＬＥＤ光源は、個々の前記ＬＥＤ光源に流れる順電流が一定となるように制御されていることを特徴としている。
【発明の効果】
【００１０】
請求項１の発明によれば、４０７標識のＬＥＤ光源への交換方法は、蛍光灯光源を取り付けていたステーを使用してＬＥＤ基板取り付け板を取り付けるようにしたものである。そのため、ＬＥＤ基板取り付け板を現地に持ち運びすれば、４０７標識の表示板を取外すことなく、４０７標識の表示板内に簡単に交換することができる。つまり、予め工場内においてＬＥＤ光源をユニット化したＬＥＤ基板をＬＥＤ基板取り付け板に取り付けておく。次に、現地に移動し現地に設置されている４０７標識内の蛍光灯光源をステーから取り除いた後、そのステーを使用して、ＬＥＤ基板取り付け板に形成した取り付け孔をステーにあける。ステー表裏面に、一対のＬＥＤ基板取り付け板を配置する。そして、ステー表裏面に、一対のＬＥＤ基板取り付け板とステーを挟持する金具とを重ね合わせてともにネジ締結すれば、容易に交換作業を行うことができる。これにより、表示板本体を工場に持ち帰ってＬＥＤ基板を取り付けるのではなく、現地で、ＬＥＤ基板取り付け板を交換できることから、蛍光灯光源をＬＥＤ光源に交換する作業を短時間で容易に行うことができる。
【００１１】
請求項２の発明によれば、４０７標識は、蛍光灯光源を取外した後、表示板内に配設されているステーの表裏面に、一対のＬＥＤ基板を取り付けたＬＥＤ基板取り付け板を金具で挟持して一体化することから、簡素な構造で蛍光灯光源をＬＥＤ光源に交換することができる。ＬＥＤ基板は、多数のＬＥＤ光源をユニット化して形成したものであり、予めＬＥＤ基板をＬＥＤ基板取り付け板に取り付けておけば、蛍光灯光源を取り付けていたステーを使用することにより、現地での交換作業を簡単に行うことができる。
【００１２】
また、請求項３の発明によれば、ＬＥＤ基板には、多数に直列接続されたＬＥＤ光源が複数列に配設され、各列には定電流素子が配設されているから、各ＬＥＤ光源に流れる順電流が一定となるように制御されている。したがって個々のＬＥＤ光源の光のばらつきが抑制されて均整度を向上することができる。
【図面の簡単な説明】
【００１３】
【図１】本発明の一形態による４０７標識の内部構造を示す正面図である。
【図２】図１における表示板の内部を示す正面図である。
【図３】同側面図である。
【図４】図１におけるＬＥＤ基板を取り付けたＬＥＤ基板取り付け板を示す正面図である。
【図５】図１におけるＬＥＤ基板取り付け板を示す背面図である。
【図６】一対のＬＥＤ基板取り付け板をコ字状金具で挟持した状態を示す斜視図である。
【図７】図６における分解斜視図である。
【図８】従来の４０７標識を示す正面図である。
【発明を実施するための形態】
【００１４】
次に本発明の４０７標識の実施形態を図面に基づいて説明する。
【００１５】
４０７標識とは、五角形に形成されて横断歩道を表示する表示板であって、人が横断するための表示、子供が横断する表示、又は自転車専用の横断帯の表示板を示すものである。図１は、４０７標識の内部にＬＥＤ基板が装着された表示板内部を示すものであり、図２は、表示板２の内部を示す正面図であり、図３は、その側面図である。
【００１６】
図１において、４０７標識１は、地上から立設された支柱３と、支柱３から水平方向に湾曲された部位に配置された接続部４と、接続部４で接続された表示板２と、を備えている。図１〜２において、表示板２は、五角形状の筐体状に形成され、ケース体２１の内部に２本の縦ステー２２、２２と縦ステー２２、２２の上部を結ぶ上ステー２３、縦ステー２２、２２の下部に配置される下ステー２４とを備えて略矩形状の枠体を形成している。ケース体２１は、図３に示すように表側ケース２１１と裏側ケース２１２からなり、表側ケース２１１が、裏側ケース２１２に対して開閉可能に構成されて、内部の光源を交換可能にしている。
【００１７】
表示板２内には、２本の縦ステー２２、２２の表面と裏面（図７参照）に、それぞれＬＥＤ基板１０、１０が取り付けられている。図４〜５に示すように、ＬＥＤ基板１０は、直方体に形成され、ＬＥＤ光源（以下、ＬＥＤという）１０１を縦列、横列に多数有してユニット化されている。実施形態のＬＥＤ１０１は、縦列９〜１２列、横列９〜１２行の範囲で配置され、各ＬＥＤ間のピッチは３０〜４５ｍｍの範囲に形成されている。また、ＬＥＤ１０１は、順電圧：ＤＣ３.５Ｖ、順電流：２０ｍＡ、発光輝度：１３５０ｍｃｄ、照射角：１１０°のものが使用されている。
【００１８】
ＬＥＤ基板１０には、直列接続されたＬＥＤ１０１の縦列ごとに定電流素子１０２が配置され、各ＬＥＤ１０１に流れる順電流を２０ｍＡに制御している。これにより、各ＬＥＤ１０１の光のばらつきを抑制することになり、表示板２の表示面を高い均整度で表示することができる。
【００１９】
このＬＥＤ基板１０を、図４又は５に示すＬＥＤ基板取り付け板１１の略中央に貼り付ける。ＬＥＤ基板取り付け板１１は、アルミニウム製で矩形板状に形成されている。ＬＥＤ基板取り付け板１１におけるＬＥＤ基板１０を貼り付けた残りの左右両端部は、縦ステー２２のステー取り付け部１１１として形成される。ＬＥＤ基板取り付け板１１がアルミニウムで軽量に形成されているため、表示板２でのＬＥＤ基板取り付け板１１の交換作業が容易となる。
【００２０】
図７に示すように、左右両端のステー取り付け部１１１には、縦ステー２２の取り付け孔２２１とともに挿通するネジ部材挿通孔１１２と、ネジ部材挿通孔１１２と並設して形成される金具止め孔１１３と、が形成されている。
【００２１】
図６に示すように、縦ステー２２の表裏面に配置された一対のＬＥＤ基板取り付け板１１は、左右両端のステー取り付け部１１１でコ字状に形成された金具１２により一体的に取り付けられる。図７に示すように、金具１２には、ＬＥＤ基板取り付け板１１に形成されたネジ部材挿通孔１１２と、金具止め孔１１３とに対向する一対のネジ挿通孔１２１、１２１が形成されている。図６に示すように、金具１２を一対のＬＥＤ基板取り付け板１１の両端から、一対のＬＥＤ基板取り付け板１１、１１と縦ステー２２とを挟持するように差し込んで、一方のネジ挿通孔１２１で金具１２と一対のＬＥＤ基板取り付け板１１と縦ステー２２をネジ締結し、他方のネジ挿通孔１２１で、一対のＬＥＤ基板取り付け板１１と金具１２をネジ締結する。これにより、ＬＥＤ基板１０が表示板２内に配置される。
【００２２】
次に、ＬＥＤ基板１０を４０７標識１の表示板２内に設置されている蛍光灯光源の代わりに取り換える作業について説明する。
【００２３】
まず、予め、工場内等でＬＥＤ基板取り付け板１１のステー取り付け部１１１に縦ステー２２に取り付けるためのネジ部材挿通孔１１２及び金具止め孔１１３を形成する。次にユニット化したＬＥＤ基板１０をＬＥＤ基板取り付け板１１に貼り付ける。ＬＥＤ基板１０を貼り付けたＬＥＤ基板取り付け板１１を、蛍光灯光源と交換する４０７標識１まで持ち運ぶ。表示板２の位置に昇って、ケース体２１の表側ケース２１１を開ける。縦ステー２２と上ステー２３及び下ステー２４から維持されている蛍光灯光源を取外す。
【００２４】
次に、ＬＥＤ基板取り付け板１１を一対の縦ステー２２、２２に当て、ＬＥＤ基板取り付け板１１に形成されたネジ部材挿通孔１１２に合わせて、一対の縦ステー２２、２２に取り付け孔２２１、２２１をあける。ＬＥＤ基板１０を取り付けたＬＥＤ基板取り付け板１１を、一対の縦ステー２２、２２の表裏面に配置し、金具１２を一対のＬＥＤ基板取り付け板１１を挟持するように差し込んで、金具１２と一対のＬＥＤ基板取り付け板１１、１１と縦ステー２２とを一体的にネジ部材で締結する。
【００２５】
これにより、ＬＥＤ基板取り付け板１１が表示板２内に取り付けられるから、表示板２内の掃除をした後、ＬＥＤ基板１０に電源を差し込んで表側ケース２１１を閉めることにより、蛍光灯光源からＬＥＤ光源１０１に交換する交換作業が終了する。
【００２６】
上述のように、実施形態の４０７標識のＬＥＤ光源への交換方法では、蛍光灯光源を支持していた縦ステー２２を使用し、予め、ＬＥＤ基板取り付け板１１に縦ステー２２の取り付け孔（挿通孔１１２）を形成してＬＥＤ光源１０１に交換することから、４０７標識１の表示板２を持ち帰ることなく現地での作業を行なえる。したがって時間とコストとをかけることなく容易な作業を行なうことができる。
【００２７】
また、ＬＥＤ基板１０には、直列接続されたＬＥＤ光源１０１の縦列ごとに定電流素子１０２を配置していることから、個々のＬＥＤ光源１０１に流れる順電流を設定電流（２０ｍＡ）に一定にすることができる。そのため、光のばらつきを抑制できて、均整度を向上することができる。
【符号の説明】
【００２８】
１、４０７標識
２、表示板
２１、ケース体
２２、縦ステー（ステー）
１０、ＬＥＤ基板
１０１、ＬＥＤ（ＬＥＤ光源）
１０２、定電流素子
１１、ＬＥＤ基板取り付け板
１２、金具
【図１】
2011210670.tif 000003
【図２】
2011210670.tif 000004
【図３】
2011210670.tif 000005
【図４】
2011210670.tif 000006
【図５】
2011210670.tif 000007
【図６】
2011210670.tif 000008
【図７】
2011210670.tif 000009
【図８】
2011210670.tif 000010